(57)【要約】【課題】車両の車体に表示される広告の広告効果を向上させる。【解決手段】車体外部に向けて設置された表示装置を備え、表示装置に広告情報を表示可能な複数の車両それぞれについての車体を代表する色の情報を保持する記憶部と、第１の広告情報を表示する第１の車両の車体を代表する色に対する第１の要求と、複数の車両の一部又は全部について、表示装置に表示される広告情報に含まれる色のうちの代表する色に対する第２の要求と、の少なくともいずれかが存在する場合に、存在する第１の要求又は第２の要求が満たされるように、第１の広告情報に含まれる色のうちの代表する色と複数の車両のそれぞれの車体を代表する色とに基づいて、複数の車両から、第１の広告情報を表示させる第１の車両を決定することと、第１の車両へ第１の広告情報を送信することと、を実行する制御部と、を備える情報処理装置である。【選択図】図１
2020077042.tif 000002
【特許請求の範囲】
【請求項１】
車体外部に向けて設置された表示装置を備え、前記表示装置に広告情報を表示可能な複数の車両それぞれについての車体を代表する色の情報を保持する記憶部と、
第１の広告情報を表示する第１の車両の車体を代表する色に対する第１の要求と、前記複数の車両の一部又は全部について、前記表示装置に表示される広告情報に含まれる色のうちの代表する色に対する第２の要求と、の少なくともいずれかが存在する場合に、存在する第１の要求又は第２の要求が満たされるように、前記第１の広告情報に含まれる色のうちの代表する色と前記複数の車両のそれぞれの車体を代表する色とに基づいて、前記複数の車両から、前記第１の広告情報を表示させる前記第１の車両を決定することと、
前記第１の車両へ前記第１の広告情報を送信することと、
を実行する制御部と、
を備える情報処理装置。
【請求項２】
前記制御部は、
前記複数の車両それぞれから、車両の位置情報を受信することと、
前記複数の車両から、前記第１の広告情報に設定されている集合時刻に前記第１の広告情報に設定されている集合場所に集合可能な車両を、前記第１の車両として決定することと、
前記第１の広告情報とともに、前記集合時刻と前記集合場所とを含む集合指示を送信することと、
をさらに実行する請求項１に記載の情報処理装置。
【請求項３】
車体外部に向けて設置された表示装置を備え、前記表示装置に広告情報を表示可能な複数の車両それぞれについての車体を代表する色の情報を保持する記憶部と、
第１の広告情報を表示する第１の車両の車体を代表する色に対する第１の要求と、前記複数の車両の一部又は全部について、前記表示装置に表示される広告情報に含まれる色のうちの代表する色に対する第２の要求と、の少なくともいずれかが存在する場合に、存在する第１の要求又は第２の要求が満たされるように、前記第１の広告情報に含まれる色のうちの代表する色と前記複数の車両のそれぞれの車体を代表する色とに基づいて、前記複数の車両から、前記第１の広告情報を表示させる前記第１の車両を決定することと、
前記第１の車両へ前記第１の広告情報を送信することと、
を実行する少なくとも一つの制御部と、
を備える情報処理システム。
【請求項４】
車体外部に向けて設置された表示装置を備え、前記表示装置に広告情報を表示可能な複数の車両それぞれについての車体を代表する色の情報を記憶部に保持し、
第１の広告情報を表示する第１の車両の車体を代表する色に対する第１の要求と、前記複数の車両の一部又は全部について、前記表示装置に表示される広告情報に含まれる色のうちの代表する色に対する第２の要求と、の少なくともいずれかが存在する場合に、存在する第１の要求又は第２の要求が満たされるように、前記第１の広告情報に含まれる色のうちの代表する色と前記複数の車両のそれぞれの車体を代表する色とに基づいて、前記複数の車両から、前記第１の広告情報を表示させる前記第１の車両を決定し、
前記第１の車両へ前記第１の広告情報を送信する、
情報処理方法。
【請求項５】
車体外部に向けて設置された表示装置を備える車両に表示される複数の広告情報それぞれについて、広告情報に含まれる色のうちの代表する色の情報を保持する記憶部と、
前記複数の広告情報の一部又は全部について、広告情報を表示する車両の車体を代表する色に対する第１の要求と、第１の車両に備えられる表示装置に表示される第１の広告情
報に含まれる色のうちの代表する色に対する第２の要求と、の少なくともいずれかが存在する場合に、存在する第１の要求又は第２の要求が満たされるように、前記複数の広告情報それぞれについての広告情報に含まれる色のうちの代表する色と前記第１の車両の車体を代表する色とに基づいて、前記複数の広告情報から、前記第１の車両に表示させる前記第１の広告情報を決定することと、
前記第１の車両へ前記第１の広告情報を送信することと、
を実行する制御部と、
を備える情報処理装置。
【発明の詳細な説明】
【技術分野】
【０００１】
本発明は、情報処理装置、情報処理システム、及び、情報処理方法に関する。
【背景技術】
【０００２】
広告を表示する地域内に存在可能な複数の車両へ広告に関する広告情報を送信し、当該広告を表示する地域内に存在するときには、それぞれの車両の車体表示部間で広告の画像（映像）やメッセージを連動させて又は同期させて表示させる技術が開示されている（例えば、特許文献１）。
【先行技術文献】
【特許文献】
【０００３】
【特許文献１】特開２０１３−０８９０９６号公報
【発明の概要】
【発明が解決しようとする課題】
【０００４】
開示の態様の一つは、車両の車体に表示される広告の広告効果を向上可能な情報処理装置、情報処理システム、及び、情報処理方法を提供することを課題とする。
【課題を解決するための手段】
【０００５】
本発明の態様の一つは、
車体外部に向けて設置された表示装置を備え、前記表示装置に広告情報を表示可能な複数の車両それぞれについての車体を代表する色の情報を保持する記憶部と、
第１の広告情報を表示する第１の車両の車体を代表する色に対する第１の要求と、前記複数の車両の一部又は全部について、前記表示装置に表示される広告情報に含まれる色のうちの代表する色に対する第２の要求と、の少なくともいずれかが存在する場合に、存在する第１の要求又は第２の要求が満たされるように、前記第１の広告情報に含まれる色のうちの代表する色と前記複数の車両のそれぞれの車体を代表する色とに基づいて、前記複数の車両から、前記第１の広告情報を表示させる前記第１の車両を決定することと、
前記第１の車両へ前記第１の広告情報を送信することと、
を実行する制御部と、
を備える情報処理装置である。
【０００６】
本発明の他の態様の一つは、
車体外部に向けて設置された表示装置を備え、前記表示装置に広告情報を表示可能な複数の車両それぞれについての車体を代表する色の情報を保持する記憶部と、
第１の広告情報を表示する第１の車両の車体を代表する色に対する第１の要求と、前記複数の車両の一部又は全部について、前記表示装置に表示される広告情報に含まれる色のうちの代表する色に対する第２の要求と、の少なくともいずれかが存在する場合に、存在する第１の要求又は第２の要求が満たされるように、前記第１の広告情報に含まれる色のうちの代表する色と前記複数の車両のそれぞれの車体を代表する色とに基づいて、前記複数の車両から、前記第１の広告情報を表示させる前記第１の車両を決定することと、
前記第１の車両へ前記第１の広告情報を送信することと、
を実行する少なくとも一つの制御部と、
を備える情報処理システムである。
【０００７】
本発明の他の態様の一つは、
車体外部に向けて設置された表示装置を備え、前記表示装置に広告情報を表示可能な複数
の車両それぞれについての車体を代表する色の情報を記憶部に保持し、
第１の広告情報を表示する第１の車両の車体を代表する色に対する第１の要求と、前記複数の車両の一部又は全部について、前記表示装置に表示される広告情報に含まれる色のうちの代表する色に対する第２の要求と、の少なくともいずれかが存在する場合に、存在する第１の要求又は第２の要求が満たされるように、前記第１の広告情報に含まれる色のうちの代表する色と前記複数の車両のそれぞれの車体を代表する色とに基づいて、前記複数の車両から、前記第１の広告情報を表示させる前記第１の車両を決定し、
前記第１の車両へ前記第１の広告情報を送信する、
情報処理方法である。
【０００８】
本発明の他の態様の一つは、
車体外部に向けて設置された表示装置を備える車両に表示される複数の広告情報それぞれについて、広告情報に含まれる色のうちの代表する色の情報を保持する記憶部と、
前記複数の広告情報の一部又は全部について、広告情報を表示する車両の車体を代表する色に対する第１の要求と、第１の車両に備えられる表示装置に表示される第１の広告情報に含まれる色のうちの代表する色に対する第２の要求と、の少なくともいずれかが存在する場合に、存在する第１の要求又は第２の要求が満たされるように、前記複数の広告情報それぞれについての広告情報に含まれる色のうちの代表する色と前記第１の車両の車体を代表する色とに基づいて、前記複数の広告情報から、前記第１の車両に表示させる前記第１の広告情報を決定することと、
前記第１の車両へ前記第１の広告情報を送信することと、
を実行する制御部と、
を備える情報処理装置である。
【発明の効果】
【０００９】
本発明によれば、車両の車体に表示される広告の広告効果を向上させることができる。
【図面の簡単な説明】
【００１０】
【図１】図１は、第１実施形態に係る広告配信システムのシステム構成の一例を示す図である。
【図２】図２は、広告配信システムにおける、センタサーバ、車載装置のハードウェア構成の一例を示す図である。
【図３】図３は、車外に向けて設置される表示装置を備える車両の外観の一例を示す図である。
【図４】図４は、広告配信システムにおける、センタサーバ、車載装置の機能構成の一例を示す図である。
【図５】図５は、広告情報ＤＢに格納されている広告関連情報テーブルの一例である。
【図６】図６は、車両情報ＤＢに格納されている車両情報テーブルの一例である。
【図７】図７は、センタサーバの処理のフローチャートの一例である。
【図８】図８は、車載装置から広告取得要求を受信した場合のセンタサーバの処理のフローチャートの一例である。
【発明を実施するための形態】
【００１１】
本発明の態様の一つは、記憶部と制御部とを備える情報処理装置である。記憶部は、車体外部に向けて設置された表示装置を備え、表示装置に広告情報を表示可能な複数の車両それぞれについての車体を代表する色の情報を保持する。制御部は、第１の広告情報を表示する第１の車両の車体を代表する色に対する第１の要求と、複数の車両の一部又は全部について、表示装置に表示される広告情報に含まれる色のうちの代表する色に対する第２の要求と、の少なくともいずれかが存在する場合に、存在する第１の要求又は第２の要求
が満たされるように、第１の広告情報に含まれる色のうちの代表する色と複数の車両のそれぞれの車体を代表する色とに基づいて、複数の車両から、第１の広告情報を表示させる第１の車両を決定することを実行する。また、制御部は、第１の車両へ前記第１の広告情報を送信することを実行する。
【００１２】
車体を代表する色は、例えば、車体の基調となる色である。例えば、車体に複数の色が含まれている場合には、車体を代表する色は、最も割合を多く占める色である。ただし、車体を代表する色は、１色に限定されず、複数の色であってもよい。
【００１３】
広告情報に含まれる色のうちの代表する色は、例えば、広告情報が静止画像及び動画である場合に、基調となる色である。広告情報に含まれる色のうちの代表する色は、例えば、広告情報自体のイメージカラー、広告主の企業のコーポ―レートカラーである場合が多い。広告情報に含まれる色のうちの代表する色は、１色に限定されず、複数の色であってもよい。
【００１４】
第１の広告情報を表示する第１の車両の車体を代表する色に対する第１の要求は、例えば、第１の広告情報の広告主が、第１の広告情報を表示させたい車体を代表する色、第１の広告情報の表示を許容する車体を代表する色、第１の広告情報を表示させたくない車体を代表する色のうちの少なくとも何れか一つである。第１の要求に含まれる色は、１色であっても複数の色であってもよい。
【００１５】
表示装置に表示される広告情報に含まれる色のうちの代表する色に対する第２の要求は、例えば、車両に関連付くユーザが、当該車両への表示を許可する広告情報に含まれる色のうちの代表する色、当該車両への表示を拒否する広告情報に含まれる色のうちの代表する色、のうちの少なくともいずれか一つである。第２の要求に含まれる色は、１色であっても複数の色であってもよい。
【００１６】
本発明の態様の一つによれば、第１の広告情報は、（１）第１の要求を満たす色を代表する色とする車体を有する車両、（２）第１の広告情報に含まれる色のうちの代表する色が、第２の要求を満たす車両、又は、（３）（１）及び（２）に該当する車両の車体外部に向けて備えられている表示装置に表示される。第１の要求及び第２の要求は、第１の広告情報と第１の広告情報が表示される車体との一体感の向上を狙って指定される可能性が高い。したがって、本発明の態様の一つによれば、広告情報と当該広告情報を外部に向けて表示する車両の車体との一体感を高めることができ、広告効果を向上させることができる。
【００１７】
また、本発明の態様の一つにおいて、情報処理装置の制御部は、複数の車両の位置情報を受信するようにしてもよい。この場合に、制御部は、複数の車両から、第１の広告情報に設定されている集合時刻に第１の広告情報に設定されている集合場所に集合可能な車両を、第１の車両として決定し、第１の広告情報とともに、集合時刻と集合場所とを含む集合指示を送信するようにしてもよい。
【００１８】
第１実施形態の態様の一つによれば、集合時刻になると、集合場所に第１の広告情報を外部に向けて表示する車両を集合させることができる。これによって、例えば、集合場所に居合わせた歩行者や他の車両の乗員等に第１の広告情報を複数回見せることができ、第１の広告情報アピールすることができる。例えば、第１の広告情報を外部に向けて表示する車両が集合した光景の目撃者が当該光景を撮影し、撮像画像をＳＮＳ等に掲載する可能性もあり、そのような場合、さらに広告効果を向上させることができる。
【００１９】
以下、図面に基づいて、本発明の実施の形態を説明する。以下の実施形態の構成は例示
であり、本発明は実施形態の構成に限定されない。
【００２０】
＜第１実施形態＞
図１は、第１実施形態に係る広告配信システム１００のシステム構成の一例を示す図である。広告配信システム１００は、車外に向けて設置された表示装置に広告情報を表示させるシステムであって、広告情報を表示させる車両を決定し、決定した車両に当該広告情報を配信する。広告配信システム１００は、例えば、センタサーバ１、複数の車両２それぞれに搭載されている車載装置３を含む。
【００２１】
センタサーバ１は、例えば、インターネット等のネットワークに接続している。センタサーバ１と各車載装置３とは、ネットワークを介して、通信可能である。
【００２２】
車両２は、車外に向けて設置された表示装置を備える車両である。車両２は、例えば、手動運転車両、自動運転車両のいずれであってもよい。車載装置３は、例えば、データ通信装置、カーナビゲーションシステムの車載装置、車両２が自動運転車両の場合には自動運転を制御する制御装置のいずれであってもよい。また、車載装置３は、例えば、車外に向けて設置された表示装置への表示の制御機能を有していれば、車両２の乗員が保有するスマートフォン、タブレット端末等であってもよい。車載装置３は、例えば、ＬＴＥ（Long Term Evolution）や３Ｇ等の移動体通信、ＤＳＲＣ（Dedicated Short Range Communications）等の狭帯域通信、ＷｉＦｉ等の無線通信のいずれかを用いて、インターネット
等の公共のネットワークに接続する。
【００２３】
例えば、車両２の車外に向けて設置された表示装置に広告情報を表示させて走行させる場合、広告主には、広告情報のイメージカラーに適する車体の色の車両２に表示させたいという要求がある場合がある。一方、例えば、車両２の所有主には、車両２の車体の色にそぐわない広告情報は表示させたくない、という要求がある場合がある。
【００２４】
第１実施形態では、広告主と車両２の所有主とからの広告情報の色又は広告情報を表示させる車両２の色に関する要求をすり合わせて、広告情報を表示させる車両２が決定される。具体的には、第１実施形態では、センタサーバ１は、広告情報についてのデータベースと、広告情報を表示可能な車両２についてのデータベースとを保持する。広告情報についてのデータベースには、例えば、広告情報のイメージカラー、広告主による広告情報を表示させたい車体の色の指定、等の情報が保持される。広告情報を表示可能な車両２についてのデータベースには、例えば、車体の色、車両２の所有主が表示を希望する広告の色等の情報が格納されている。広告主による広告情報を表示させたい車体の色の指定は、例えば、「第１の要求」の一例である。車両２の所有主が表示を希望する広告の色は、例えば、「第２の要求」の一例である。
【００２５】
センタサーバ１は、広告情報を表示させる車両２として、例えば、広告主によって指定された広告情報を表示させたい車体の色であり、及び／又は、当該広告情報のイメージカラーが所有主が希望する色である車両２を選択する。
【００２６】
これによって、広告情報と当該広告情報を表示する車両２との一体感を向上させることができ、広告効果を向上させることができる。または、車両２に、車両２の所有主が希望する色をイメージカラーとする広告情報を表示させることができるので、広告情報を表示させる車両２の広告配信システム１００への登録を促進させることができる。
【００２７】
なお、広告情報のイメージカラーは、例えば、広告主によって指定される。広告情報は、例えば、イメージカラーを基調として作成されている。イメージカラーの指定がない場合には、例えば、広告情報内で最も割合を占める色をイメージカラーとして取り扱っても
よい。
【００２８】
なお、車両２の所有主に限定されず、車両２を運転する者、乗員等が希望する広告情報のイメージカラーを指定することも可能である。配信対象の広告情報は、「第１の広告情報」の一例である。広告情報のイメージカラーは、「広告情報に含まれる色を代表する色」の一例である。配信対象の広告情報を表示させる車両２は、「第１の車両」の一例である。
【００２９】
また、第１実施形態では、広告情報を表示する車両２を、当該広告情報の広告主が指定する時刻に当該広告主が指定する場所に集合させるように、センタサーバ１は、広告情報とともに集合時刻と集合場所との情報も送信する。これによって、集合時刻になると、集合場所に、同じ広告情報を表示させた車両２が集合するため、その周辺の歩行者やメディアへ当該広告情報をアピールすることができ、広告効果を向上させることができる。
【００３０】
図２は、広告配信システム１００における、センタサーバ１、車載装置３のハードウェア構成の一例を示す図である。センタサーバ１は、例えば、専用のコンピュータ、汎用のコンピュータである。センタサーバ１は、ハードウェア構成として、ＣＰＵ（Central Processing Unit）１０１、メモリ１０２、外部記憶装置１０３、通信部１０４を有する。
メモリ１０２および外部記憶装置１０３は、コンピュータで読み取り可能な記録媒体である。センタサーバ１は、「情報処理装置」の一例である。
【００３１】
外部記憶装置１０３は、様々なプログラムや、各プログラムの実行に際してＣＰＵ  １０１が使用するデータを格納する。外部記憶装置１０３は、例えば、ＥＰＲＯＭ（Erasable Programmable ROM）やハードディスクドライブ（Hard Disk Drive）である。外部記憶装置１０３に保持されるプログラムには、例えば、オペレーティングシステム（ＯＳ）、広告配信システム１００の制御プログラム、その他様々なアプリケーションプログラムを保持する。広告配信システム１００の制御プログラムは、広告情報のイメージカラーと車両２の車体の色、及び、広告主と車両の所有者との車体と広告情報との色に対する希望とを考慮して、広告情報を車外向けの表示装置に表示させる車両２を選択して、当該広告情報を選択した車両２へ配信するためのプログラムである。外部記憶装置１０３は、「記憶部」の一例である。
【００３２】
メモリ１０２は、ＣＰＵ  １０１に、外部記憶装置１０３に格納されているプログラムをロードする記憶領域および作業領域を提供したり、バッファとして用いられたりする記憶装置である。メモリ１０２は、例えば、ＲＯＭ（Read Only Memory）、ＲＡＭ（Random
Access Memory）のような半導体メモリを含む。
【００３３】
ＣＰＵ  １０１は、外部記憶装置１０３に保持されたＯＳや様々なアプリケーションプログラムをメモリ１０２にロードして実行することによって、様々な処理を実行する。ＣＰＵ  １０１は、１つに限られず、複数備えられてもよい。ＣＰＵ  １０１は、「情報処理装置」の「制御部」の一例である。
【００３４】
通信部１０４は、ネットワークとの情報の入出力を行うインタフェースである。通信部１０４は、有線のネットワークと接続するインタフェースであってもよいし、無線のネットワークと接続するインタフェースであってもよい。通信部１０４は、例えば、ＮＩＣ（Network Interface Card）や無線回路等である。通信部１０４は、例えば、ＬＡＮ（Local Area Network）に接続し、ＬＡＮを通じて公衆回線網に接続し、公衆通信回線網を通じて、ネットワーク上の各種サーバ、車載装置３と通信する。
【００３５】
次に、車載装置３は、例えば、車両２に搭載されているデータ通信装置、カーナビゲー
ション装置、ＥＴＣ車載器である。また、車載装置３は、車外向けに設置されている表示装置の制御機能を有しているのであれば、車両２の乗員が携帯するスマートフォン、タブレット端末等であってもよい。また、車両が自動運転車両の場合には、車載装置３は、インターネット等の公共のネットワークへの接続するための通信機能を備える自動運転の制御装置であってもよい。なお、車載装置３は、これらに限定されない。以下、第１実施形態では、車載装置３は、データ通信装置であることを想定して説明される。
【００３６】
車載装置３は、ハードウェア構成要素として、例えば、ＣＰＵ  ３０１、メモリ３０２、外部記憶装置３０３、無線通信部３０４、ＧＰＳ(Global Positioning System)受信部
３０５、インタフェース３０６を備える。ＣＰＵ  ３０１、メモリ３０２、外部記憶装置３０３は、ＣＰＵ  １０１、メモリ１０２、外部記憶装置１０３と同様である。ただし、車載装置３の外部記憶装置３０３には、例えば、広告配信システム１００の車載装置用の制御プログラムが格納されている。広告配信システム１００の車載装置用の制御プログラムは、例えば、センタサーバ１から受信された広告情報を車外向けに設置されている表示装置へ表示するためのプログラムである。
【００３７】
無線通信部３０４は、例えば、ＬＴＥ、ＬＴＥ−Ａｄｖａｎｃｅｄ、３Ｇ等の移動体通信、ＷｉＦｉ、ＤＳＲＣ等の無線通信回路である。なお、無線通信部３０４が行う無線通信の無線通信規格は、これらに限定されない。無線通信部３０４は、対応する無線通信方式に応じたアクセスネットワークに無線通信によって接続し、当該アクセスネットワークを通じて公衆回線網に接続し、公衆回線網を通じて、センタサーバ１等に接続する。
【００３８】
ＧＰＳ受信部３０５は、地球の周囲を周回する複数の人工衛星から時刻信号の電波を受信し、ＣＰＵ  ３０１に備えられるレジスタに格納する。ＣＰＵ  ３０１は、例えば、ＧＰＳ受信部３０５からの検出信号により、地球上の位置である緯度と経度を計算して、車両２（車載装置３）の位置情報を取得する。
【００３９】
インタフェース３０６は、例えば、車両２の車外向けに設置されている表示装置２１と接続するためのインタフェースである。インタフェース３０６は、車両２の車外向けに設置されている表示装置２１とケーブル等で直接接続してもよいし、車載ネットワーク（ＣＡＮ:Controller Area Network）に接続し、ＣＡＮを通じて車両２の車外向けに備えられている表示装置２１と接続してもよい。車両２の車外向けに設置されている表示装置２１は、１つであっても複数であってもよい。
【００４０】
なお、図２に示されるセンタサーバ１、車載装置３のハードウェア構成は、一例であり、上記に限られず、実施の形態に応じて適宜構成要素の省略や置換、追加が可能である。例えば、センタサーバ１は、可搬記録媒体駆動装置を備え、可搬記録媒体に記録されたプログラムを実行してもよい。可搬記録媒体は、例えば、ＳＤカード、ｍｉｎｉＳＤカード、ｍｉｃｒｏＳＤカード、ＵＳＢ（Universal Serial Bus）フラッシュメモリ、ＣＤ（Compact Disc）、ＤＶＤ(Digital Versatile Disc)、Ｂｌｕ−ｒａｙ（登録商標）  Ｄｉｓｃ、又はフラッシュメモリカードのような記録媒体である。また、例えば、センタサーバ１は、入力装置及び出力装置を備えてもよい。入力装置は、例えば、キーボード、マウス、タッチパネル等である。出力装置は、例えば、ディスプレイ等である。
【００４１】
なお、センタサーバ１、車載装置３で実行される一連の処理は、ＣＰＵ  １０１又はＣＰＵ  ３０１によるソフトウェアの実行によって達成させることに限定されず、例えば、ＦＰＧＡ（Field-Programmable Gate Array）等のハードウェアによって達成させること
もできる。
【００４２】
図３は、車外に向けて設置される表示装置２１を備える車両２の外観の一例を示す図で
ある。車外に向けて設置された表示装置２１は、例えば、車両２に１つ又は複数備えられる。例えば、車両２に車外に向けて設置される表示装置は、液晶ディスプレイ、有機ＥＬディスプレイ、ＬＥＤマトリクス、プロジェクタなどである。また、車両２に車外に向けて設置される表示装置２１は、例えば、ガラスに映像を投影できる場合、窓ガラス（例えば、サイドウインドウ、リアウインドウ等）であってもよい。
【００４３】
図３には、左側後方から見た場合の車両２の外観が示されており、車両後方の表示装置２１Ａ、左側面の前方ドアに設置された表示装置２１Ｂ、左側面の後方のドアに設置された表示装置２１Ｃが示されている。車両後方の表示装置２１Ａは、リアウインドウであってもよいし、車両の内部の後方に設置されたディスプレイであってもよい。
【００４４】
表示装置の数は、例えば、車両２のタイプ又は車種によって異なってもよい。表示装置は、例えば、左側面、右側面、車両後方、車両上方など、複数の位置に配置されていてもよい。例えば、対象車両がトラックである場合、左側面、右側面、車両後方の三箇所に表示装置を配置することができる。また、対象車両がセダンである場合、左側面（前ドア）、左側面（後ドア）、右側面（前ドア）、右側面（後ドア）等に表示装置を配置することができる。
【００４５】
図４は、広告配信システム１００における、センタサーバ１、車載装置３の機能構成の一例を示す図である。車載装置３は、機能構成要素として、送受信部３１、制御部３２、位置情報取得部３３を備える。これらの機能構成要素は、例えば、車載装置３のＣＰＵ  ３０１が外部記憶装置３０３に格納されている広告配信システム１００の車載装置用の制御プログラムを実行することによって達成される。
【００４６】
送受信部３１は、無線通信部３０４を通じて行われるネットワークとの通信のインタフェースである。送受信部３１は、例えば、所定の周期で制御部３２から位置情報の入力を受け、無線通信部３０４を通じて、当該位置情報をセンタサーバ１へ送信する。また、送受信部３１は、例えば、センタサーバ１から、無線通信部３０４を通じて、広告情報を受信し、制御部３２へ出力する。
【００４７】
位置情報取得部３３は、例えば、車載装置３のＧＰＳ受信部３０５によって取得される車両２（車載装置３）の位置情報を、所定の周期で取得し、制御部３２へ出力する。車両２の位置情報は、例えば、緯度、経度である。または、車両２の位置情報は、例えば、住所であってもよい。位置情報取得部３３が位置情報を取得する周期は、例えば、０．１秒〜１０秒の範囲で設定されてもよい。ただし、これに限定されない。
【００４８】
制御部３２は、位置情報取得部３３から所定の周期で位置情報を取得し、送受信部３１に出力して、送受信部３１を通じて、センタサーバ１へ送信する。制御部３２が位置情報取得部３３から位置情報を取得する周期は、例えば、位置情報取得部３３が位置情報を取得する周期と同じであってもよいし、位置情報取得部３３が位置情報を取得する周期よりも長い周期であってもよい。
【００４９】
また、制御部３２は、例えば、車両２の乗員による操作入力によって、車載装置３に接続される入力装置から広告取得要求が入力されると、広告情報を要求する広告取得要求をセンタサーバ１へ送信する。広告取得要求とともに車両２の位置情報も送信される。
【００５０】
制御部３２は、送受信部３１から、センタサーバ１から受信された広告情報の入力を受けると、車両２の外部向けの表示装置２１へ当該広告情報を出力して表示させる。なお、広告情報に音声データが含まれる場合には、制御部３２は、当該音声データを車両２の外部向けのスピーカに出力してもよい。
【００５１】
また、制御部３２は、センタサーバ１から広告情報とともに、集合場所と集合時刻との情報を受信した場合には、例えば、制御部３２は、車両２の内部に向けて設置されている表示装置等に集合場所と集合時間とを出力して表示させることで、車両２の乗員に集合時刻に集合場所へ到着するように運転を促す。ただし、これに限定されず、制御部３２は、例えば、集合時刻に集合場所に到着するような経路を作成して、ナビゲーション装置へ通知し、当該経路の出発時刻になると当該経路が表示されるようにナビゲーション装置を制御するようにしてもよい。また、車両２が自動運転車両である場合には、例えば、制御部３２は、集合時刻に集合場所に到着するような経路を作成して、当該経路の出発時刻になると当該経路の走行が開始されるように車両２を制御してもよい。
【００５２】
次に、センタサーバ１は、機能構成要素として、送受信部１１、制御部１２、広告情報ＤＢ  １３、地図情報ＤＢ  １４、車両情報ＤＢ  １５を備える。これらの機能構成要素は、例えば、センタサーバ１のＣＰＵ  １０１が外部記憶装置１０３に格納されている広告配信システム１００のセンタサーバ１用の制御プログラムを実行することによって達成される。
【００５３】
送受信部１１は、通信部１０４を通じて行われる車載装置３との通信を制御する。例えば、送受信部１１は、車載装置３から位置情報を受信すると、制御部１２へ出力する。また、例えば、送受信部１１は、制御部１２から、広告情報の入力を受けると、車載装置３へ送信する。また、送受信部１１は、車載装置３から広告取得要求を受信すると、制御部１２へ出力する。
【００５４】
制御部１２は、送受信部１１から、車載装置３から受信された位置情報の入力を受ける。制御部１２は、受信された位置情報を後述の車両情報ＤＢ  １５に格納する。
【００５５】
制御部１２は、例えば、広告情報の配信イベントが発生すると、当該広告情報の配信先となる車両２の選択処理を行う。広告情報の配信イベントは、例えば、センタサーバ１に接続された入力装置を通じて直接、又は、ネットワーク経由で、広告情報の配信要求の入力を受けること、予め設定された広告情報の配信処理の開始時刻になること、等である。
【００５６】
制御部１２は、広告情報ＤＢ  １３と車両情報ＤＢ  １５とを参照して、広告主が配信対象の広告情報の表示を希望する車体の色及び／又は各車両２が希望する広告情報のイメージカラーが満たされるように、配信対象の広告情報の送信先となる車両２を選択する。当該処理の詳細は、後述される。
【００５７】
また、制御部１２は、配信対象の広告情報に集合場所及び集合時刻の設定がある場合には、地図情報ＤＢ  １４と車両情報ＤＢ  １５とに基づいて、集合時刻に集合場所に到着可能な範囲内に存在する車両２を抽出する。集合時刻に集合場所に到着可能な範囲は、例えば、集合場所から所定の距離の範囲、集合場所が存在する市区町村等である。集合場所から所定の距離の範囲内である場合には、当該距離は、予め決められた固定値であってもよいし、広告配信時刻から集合時刻までの時間長に応じて決定されてもよい。以下、車両２を抽出するための集合時刻に集合場所に到着可能な範囲を、抽出範囲と称する。  
【００５８】
制御部１２は、広告情報の送信先として選択された車両２の車載装置３へ、広告情報を送信する。広告情報ＤＢ  １３において、当該広告情報に集合場所と集合時刻とが設定されている場合には、広告情報とともに、集合場所と集合時刻の情報も送信される。集合場所と集合時刻とを含む情報を、以下、集合情報と称する。
【００５９】
また、制御部１２は、送受信部１１から、車載装置３から受信された広告取得要求が入
力されると、広告主が配信対象の広告情報の表示を希望する車体の色及び／又は各車両２が希望する広告情報のイメージカラーが満たされるように、当該車載装置３に対応付けられている車両２に表示させる広告情報を広告情報ＤＢ  １３から選択する。当該処理の詳細は後述される。制御部１２は、選択した広告情報を広告取得要求に対する応答として、車載装置３へ送信する。選択された広告情報に集合場所及び集合時刻が設定されている場合には、選択された広告情報とともに集合情報も送信される。
【００６０】
広告情報ＤＢ  １３、地図情報ＤＢ  １４、車両情報ＤＢ  １５は、それぞれ、センタサーバ１の外部記憶装置１０３の記憶領域に作成される。地図情報ＤＢ  １４には、地図情報が格納されている。地図情報ＤＢ  １４は、例えば、配信対象の広告情報の配信先となる車両２を抽出する抽出範囲を決定する際に用いられる。
【００６１】
図５は、広告情報ＤＢ  １３に格納されている広告関連情報テーブルの一例である。広告情報ＤＢ  １３には、広告情報に関連する情報を格納する広告関連情報テーブルと広告情報とが格納されている。広告情報は、例えば、静止画像、動画等のファイルである。なお、広告情報は、音声データを含んでもよい。図５に示される例では、広告関連情報テーブルは、例えば、広告ＩＤ、イメージカラー、表示車体色、集合時刻、集合場所のフィールドを含む。広告関連情報テーブルに保持される情報は、「広告関連情報」の一例である。
【００６２】
広告ＩＤのフィールドには、広告情報の識別情報が入力される。イメージカラーのフィールドには、当該広告情報のイメージカラーとなる色の情報が入力される。広告情報のイメージカラーは、例えば、広告主によって指定される。広告情報は、例えば、静止画像、動画像、イラスト、アニメーション等であり、複数の色を含む。広告情報のイメージカラーは、例えば、広告情報に基調として用いられている色、広告情報の対象の商品のイメージカラー、広告主の企業のコーポレートカラー等である。広告情報のイメージカラーの指定がない場合には、例えば、広告情報に含まれる色のうち最も多くの割合を示す色がイメージカラーのフィールドに入力されてもよい。イメージカラーのフィールドに入力されている情報が示す色は、「広告情報に含まれる色のうちの代表する色」の一例である。
【００６３】
表示車体色のフィールドには、当該広告情報の表示が希望される車体の色の情報が格納されている。表示車体色のフィールドには、複数の色の情報が入力されてもよい。表示車体色のフィールドに入力されている情報が示す色は、「第１の広告情報を表示する第１の車両の車体を代表する色に対する第１の要求」の一例である。
【００６４】
集合場所のフィールドには、当該広告情報を表示する車両２の集合場所の情報が格納されている。集合場所の情報は、例えば、緯度及び経度、住所、ランドマークとなる建物名等のいずれであってもよい。集合時刻のフィールドには、当該広告情報を表示する車両２の集合時刻が格納されている。
【００６５】
表示車体色、集合時刻、集合場所のそれぞれのフィールドに入力される情報は、例えば、広告主によって指定されてもよい。表示車体色、集合時刻、集合場所のそれぞれのフィールドに入力される情報の設定は、任意である。
【００６６】
なお、広告関連情報テーブルに保持される情報は、図５に示されるものに限定されず、実施の形態に応じて適宜変更可能である。例えば、広告情報に配信地域を設定することができる場合には、広告関連情報テーブルには配信地域の情報が保持されてもよい。
【００６７】
図６は、車両情報ＤＢ  １５に格納されている車両情報テーブルの一例である。車両情報ＤＢ  １５には、車両に関する情報を保持する車両情報テーブルが格納されている。図
６に示される例では、車両情報テーブルは、車両ＩＤ、車載装置ＩＤ、車体色、希望色、位置のフィールドを有する。車両情報テーブルに保持される情報は、「車両情報」の一例である。
【００６８】
車両ＩＤのフィールドには、車両２の識別情報が入力される。車両２の識別情報は、例えば、広告配信システム１００において独自に割り当てた識別情報、ナンバープレートに記載された自動車登録番号等のいずれが用いられてもよい。車載装置ＩＤのフィールドには、車載装置３の識別情報が入力される。車両２に対応付けられる車載装置３は、１台であっても複数台であってもよい。
【００６９】
車体色のフィールドには、車両２車体の色の情報が入力される。車両２の車体の色が複数である場合には、車両色のフィールドに車体に含まれる複数の色の情報が入力されてもよいし、基調となる色又は最も占める割合の大きい色の情報のみが入力されてもよい。車体色のフィールドに入力されている情報が示す色は、「車体を代表する色」の一例である。車両ＩＤ、車載装置ＩＤ、車体色のフィールドは、それぞれ、予め入力される。
【００７０】
希望色のフィールドには、例えば、車両２の所有主が車両２の車外に向けて設置されている表示装置２１への表示を希望する広告情報のイメージカラーの情報が入力される。希望色のフィールドには、複数の色の情報が入力されてもよい。希望色のフィールドに入力される情報は、例えば、車両２の所有主によって指定されてもよい。また、車両２の車外に向けて設置されている表示装置２１への表示を希望する広告情報のイメージカラーの設定は任意であるため、希望色のフィールドが空である場合もある。希望色のフィールドに入力されている情報が示す色は、「前記表示装置に表示される広告情報に含まれる色のうちの代表する色に対する第２の要求」の一例である。
【００７１】
位置のフィールドには、車両２の位置情報が入力される。車両２からはセンタサーバ１へ所定の周期で位置情報が送信されるので、位置のフィールドは、車両２から位置情報が受信される度に、制御部１２によって更新される。
【００７２】
なお、車両情報テーブルが保持する情報は、図６に示されるものに限定されず、実施の形態に応じて適宜変更可能である。
【００７３】
図４に示されるセンタサーバ１、車載装置３の機能構成は、一例であって、これらの機能構成は図４に示されるものに限定されない。
【００７４】
＜処理の流れ＞
図７は、センタサーバ１の処理のフローチャートの一例である。図７に示される処理は、例えば、所定の周期で繰り返し実行される。また、図７に示される処理の実行主体は、センタサーバ１のＣＰＵ  １０１であるが、便宜上、機能構成要素を主体として説明する。
【００７５】
ＯＰ１０１では、制御部１２は、広告情報の配信イベントが発生したか否かを判定する。広告情報の配信イベントが発生した場合には（ＯＰ１０１：ＹＥＳ）、処理がＯＰ１０２に進む。広告情報の配信イベントが発生していない場合には（ＯＰ１０１：ＮＯ）、図７に示される処理が終了する。広告情報の配信イベントの対象の広告情報は、以下、対象の広告情報、と称される。
【００７６】
ＯＰ１０２では、制御部１２は、広告情報ＤＢ  １３に基づいて、対象の広告情報に集合場所及び集合時刻の設定があるか否かを判定する。対象の広告情報に集合場所及び集合時刻の設定がある場合には（ＯＰ１０２：ＹＥＳ）、処理がＯＰ１０３に進む。対象の広
告情報に集合場所及び集合時刻の設定がない場合には（ＯＰ１０２：ＮＯ）、処理がＯＰ１０４に進む。
【００７７】
ＯＰ１０３では、制御部１２は、対象の広告情報に集合場所と集合時刻との設定があるので、地図情報ＤＢ  １４に基づいて、車両２の抽出範囲を決定し、車両情報ＤＢ  １５から、抽出範囲内に存在する車両２の情報を抽出する。
【００７８】
ＯＰ１０４では、制御部１２は、広告情報ＤＢ  １３に基づいて、対象の広告情報に、表示が希望される車体の色の設定があるか否かを判定する。ＯＰ１０４の処理は、「第１の要求」が存在するか否かを判定する処理に相当する。
【００７９】
対象の広告情報に、表示が希望される車体の色の設定がある場合には（ＯＰ１０４：ＹＥＳ）、処理がＯＰ１０５に進む。ＯＰ１０５では、制御部１２は、車両情報ＤＢ  １５に基づいて、対象の範囲内に存在し、車体の色が、対象の広告情報の表示が希望される車体の色に該当する車両２の情報を抽出する。ＯＰ１０５において、対象の範囲は、ＯＰ１０３の処理が実行されている場合には、ＯＰ１０３における抽出範囲が該当し、ＯＰ１０３の処理が実行されていない場合には、広告配信システム１００の対象範囲又は対象の広告情報に設定されている配信地域が該当する。
【００８０】
対象の広告情報に、表示が希望される車体の色の設定がない場合には（ＯＰ１０４：ＮＯ）、処理がＯＰ１０６に進む。ＯＰ１０６では、制御部１２は、車両情報ＤＢ  １５に基づいて、対象の範囲内に存在する全車両２の情報を抽出する。ＯＰ１０６において、対象の範囲は、ＯＰ１０３の処理が実行されている場合には、ＯＰ１０３における抽出範囲が該当し、ＯＰ１０３の処理が実行されていない場合には、広告配信システム１００の対象範囲又は対象の広告情報に設定されている配信地域が該当する。
【００８１】
ＯＰ１０７では、制御部１２は、広告情報ＤＢ  １３に基づいて、対象の広告情報にイメージカラーの設定があるか否かを判定する。ＯＰ１０７の処理は、「第２の要求」が存在するか否かを判定する処理に相当する。
【００８２】
対象の広告情報にイメージカラーの設定がある場合には（ＯＰ１０７：ＹＥＳ）、処理がＯＰ１０８に進む。対象の広告情報にイメージカラーの設定がない場合には（ＯＰ１０７：ＮＯ）、処理がＯＰ１０９に進む。
【００８３】
ＯＰ１０８では、制御部１２は、車両情報ＤＢ  １５に基づいて、ＯＰ１０８の処理までに抽出されている車両２の情報の中から、対象の広告情報のイメージカラーを希望色とする車両２の情報を抽出する。
【００８４】
ＯＰ１０９では、制御部１２は、送受信部１１を通じて、ＯＰ１０９の処理までに抽出された車両２に対応付けられている車載装置３へ、対象の広告情報を送信する。対象の広告情報に集合の設定がある場合には、集合情報もともに送信される。その後、図７に示される処理が終了する。ＯＰ１０９における、車載装置３へ対象の広告情報を送信することは、「第１の車両の前記表示装置への前記第１の広告情報の表示指示を送信すること」の一例である。また、ＯＰ１０９における、車載装置３へ広告情報とともに集合情報を送信することは、「前記第１の広告情報の表示指示とともに、前記集合時刻と前記集合場所とを含む集合指示を送信すること」の一例である。
【００８５】
なお、図７に示されるセンタサーバ１の処理は一例であって、センタサーバ１が実行する処理は図７に示される処理に限定されない。例えば、ＯＰ１０２、ＯＰ１０４、ＯＰ１０７の判定は、いずれの判定から行われてもよい。また、図７に示される例では、ＯＰ１
０４で肯定判定で、且つ、ＯＰ１０７でも肯定判定である場合には、すなわち、第１の要求と第２の要求とが存在する場合には、第１の要求と第２の要求とが満たされるように車両２が選択される（ＯＰ１０８で抽出される車両２）。ただし、これに限定されず、第１の要求と第２の要求とが存在する場合でも、第１の要求と第２の要求とのいずれかのみが満たされるように車両２が選択されてもよい。
【００８６】
図８は、車載装置３から広告取得要求を受信した場合のセンタサーバ１の処理のフローチャートの一例である。車載装置３は、例えば、新たに広告配信システム１００に登録された場合に、センタサーバ１へ広告情報を要求する取得要求を送信する。広告取得要求とともに、センタサーバ１へは、車両２の位置情報も送信される。図８に示される処理は、例えば、所定の周期で繰り返し実行される。
【００８７】
ＯＰ２０１では、制御部１２は、送受信部１１を通じて、車載装置３から広告取得要求が受信されたか否かを判定する。車載装置３から広告取得要求が受信された場合には（ＯＰ２０１：ＹＥＳ）、処理がＯＰ２０２に進む。車載装置３から広告取得要求が受信されていない場合には（ＯＰ２０１：ＮＯ）、図８に示される処理が終了する。なお、広告取得要求とともに車両２の位置情報も受信される。
【００８８】
ＯＰ２０２では、制御部１２は、車両情報ＤＢ  １５を参照して、対象の車両２に、表示を希望する広告情報のイメージカラーの設定があるか否かを判定する。ＯＰ２０２の処理は、「第２の要求」の存在を判定する処理に相当する。
【００８９】
対象の車両２に、表示を希望する広告情報のイメージカラーの設定がある場合には（ＯＰ２０２：ＹＥＳ）、処理がＯＰ２０３に進む。対象の車両２に、表示を希望する広告情報のイメージカラーの設定がない場合には（ＯＰ２０２：ＮＯ）、処理がＯＰ２０４に進む。
【００９０】
ＯＰ２０３では、制御部１２は、広告情報ＤＢ  １３から、対象の車両２に設定されている表示を希望する広告情報のイメージカラーに該当するイメージカラーの広告情報を抽出する。
【００９１】
ＯＰ２０４では、制御部１２は、広告情報ＤＢ  １３を参照して、ＯＰ２０４の処理までに抽出された広告情報の中から、対象の車両２への表示を許容する広告情報を抽出する。対象の車両２への表示を許容する広告情報とは、例えば、当該広告情報に設定されている表示を希望する車体の色が対象の車両２の車体の色と一致する広告情報である。例えば、表示を希望する車体の色が設定されていない広告情報も、対象の車両２への表示を許容する広告情報に含まれてもよい。ＯＰ２０４の処理は、「第１の要求」の存在を判定する処理を含む。
【００９２】
ＯＰ２０５では、制御部１２は、ＯＰ２０５までに抽出された広告情報の中から１つの広告情報を選択する。制御部１２は、例えば、ランダムに１つを選択してもよいし、所定の優先度に基づいて選択してもよい。所定の優先度は、例えば、広告主の優先度、登録順の早い順又は遅い順、等に基づいて決められる。以下、ＯＰ２０５において選択された広告情報を、対象の広告情報、と称する。
【００９３】
ＯＰ２０６では、制御部１２は、広告情報ＤＢ  １３を参照して、対象の広告情報に集合場所及び集合時刻が設定されているか否かを判定する。対象の広告情報に集合場所及び集合時刻が設定されている場合には（ＯＰ２０６：ＹＥＳ）、処理がＯＰ２０７に進む。対象の広告情報に集合場所及び集合時刻が設定されていない場合には（ＯＰ２０６：ＮＯ）、処理がＯＰ２０８に進む。
【００９４】
ＯＰ２０７では、制御部１２は、車両２の位置情報に基づいて、当該車両２が、対象の広告情報の集合時刻に集合場所に到着可能であるか否かを判定する。例えば、車両２が、集合場所から所定の距離の範囲内に存在しない場合、集合場所が存在する都道府県以外の都道府県に存在する場合等は、否定判定となる。当該車両２が、対象の広告情報の集合時刻に集合場所に到着可能である場合には（ＯＰ２０７：ＹＥＳ）、処理がＯＰ２０８に進む。当該車両２が、対象の広告情報の集合時刻に集合場所に到着可能でない場合には（ＯＰ２０８：ＮＯ）、処理がＯＰ２０５に進み、対象の広告情報が選択し直される。
【００９５】
ＯＰ２０８では、制御部１２は、車載装置３へ、対象の広告情報を送信する。対象の広告情報に集合場所及び集合時刻が設定されている場合には、車載装置３へ、広告情報とともに、集合情報も送信される。その後、図８に示される処理が終了する。
【００９６】
なお、車載装置３から広告取得要求が受信された場合の処理は図９に示される処理に限定されない。例えば、ＯＰ２０４の処理は、ＯＰ２０２の処理の前に実行されてもよい。例えば、ＯＰ２０２で肯定判定になった場合でも、ＯＰ２０３において、対象の車両２に設定されている表示を希望する広告情報のイメージカラーに該当しないイメージカラーの広告情報が抽出されてもよい。
【００９７】
＜第１実施形態の作用効果＞
第１実施形態では、広告主が広告情報の表示を希望する車体の色、又は／及び、車両２の所有主が表示を希望する広告情報の色を満たすように、配信対象の広告情報を車外に向けて設置されている表示装置を備える車両２に配信することができる。これによって、例えば、広告情報と、当該広告情報を車外に向けて表示する表示装置を備える車両２の車体との一体感を高めることができ、広告効果を向上させることができる。
【００９８】
また、第１実施形態では、広告情報を車外に向けて表示する表示装置を備える車両２を、指定の集合場所に指定の集合時刻に集合させることができる。これによって、例えば、同じ広告情報を車外に向けて表示した、車体が同じ色の車両２を集合場所に集めることができる。これによって、例えば、当該集合場所に存在する歩行者等が、当該広告情報を目にする回数が増えたり、ＳＮＳ等にそのような光景の画像を掲載したりすることで、広告効果を向上させることができる。
【００９９】
＜その他の実施形態＞
上記の実施形態はあくまでも一例であって、本発明はその要旨を逸脱しない範囲内で適宜変更して実施しうる。
【０１００】
第１実施形態では、広告主が広告情報を表示させたい車体の色、又は／及び、車両２の所有主が車両２に表示させたい広告情報の色が設定されるが、これに限られない。例えば、広告主が広告情報を表示させたくない車体の色、又は／及び、車両２の所有主が車両２に表示させたくない広告情報の色を設定し、該当する車両２を除外するようにして、広告情報を配信する車両２が選択されるようにしてもよい。
【０１０１】
また、第１実施形態では、配信対象の広告情報を配信する車両２が選択されると、選択された車両２へ当該広告情報が送信されるが、当該広告情報の送信の前に、車両２の所有主へ当該広告情報の表示について許可を求めてもよい。この場合には、センタサーバ１は、選択された車両２に対応付けられている車載装置３へ、広告情報の表示許可要求を送信するようにしてもよい。表示許可要求とともに、例えば、広告情報のプレビュー画面、集合の設定がある場合には集合場所及び集合時刻も送信される。車載装置３からセンタサーバ１へ広告情報の表示許可メッセージが受信された場合に、センタサーバ１は、配信対象
の広告情報を送信するようにしてもよい。
【０１０２】
また、広告情報を表示させたい車体の色の設定は、１色に限定されず、複数色であってもよい。また、例えば、複数色と、それぞれの色の車両２の割合が設定されてもよい。例えば、赤い車体の車両２を９割、緑の車両２を１割等である。センタサーバ１は、当該設定に基づいて、設定された色の割合となるように車両２を選択するようにしてもよい。
【０１０３】
本開示において説明した処理や手段は、技術的な矛盾が生じない限りにおいて、自由に組み合わせて実施することができる。
【０１０４】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【０１０５】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【０１０６】
１      ：センタサーバ
２      ：車両
３      ：車載装置
１１    ：送受信部
１２    ：制御部
２１    ：表示装置
３１    ：送受信部
３２    ：制御部
３３    ：位置情報取得部
１００  ：広告配信システム
１０１  ：ＣＰＵ
１０２  ：メモリ
１０３  ：外部記憶装置
１０４  ：通信部
【図１】
2020077042.tif 000003
【図２】
2020077042.tif 000004
【図３】
2020077042.tif 000005
【図４】
2020077042.tif 000006
【図５】
2020077042.tif 000007
【図６】
2020077042.tif 000008
【図７】
2020077042.tif 000009
【図８】
2020077042.tif 000010